(57)【要約】  【課題】横架材に座を複数支持させることができるようにしているとともに、天板を座に替えて取り付け可能にしている椅子において、より広くより幅広い用途に対応可能な天板を提供する。  【解決手段】座１と、前記座１を支持する横架材３と、前記横架材３を支持し床面に接する脚４とを具備し、前記横架材３が座１を取り付けるための座取付部３２を有する椅子Ｃに、前記座取付部３２に取り付け可能な天板５１をさらに具備させ、前記天板５１の天板面５１ａが前記座１の座面１ａよりも上方に位置するようにする。  【選択図】図１
2005224541.tif 000002
【特許請求の範囲】
【請求項１】
座と、前記座を支持する横架材と、前記横架材を支持し床面に接する脚とを具備し、前記横架材が座を取り付けるための座取付部を有するものであって、
前記座取付部に取り付け可能な天板をさらに具備し、前記天板の天板面が前記座の座面よりも上方に位置することを特徴とする椅子。
【請求項２】
前記天板の天板面の一部を、前記座の座面の少なくとも一部に平面視重合させていることを特徴とする請求項１記載の椅子。
【請求項３】
前記座取付部を３箇所以上有するものであって、前記天板を取り付けた座取付部に隣接する座取付部の双方に座を取り付けていることを特徴とする請求項１又は２記載の椅子。
【請求項４】
前記座の後端部から起立する背凭れをさらに具備するものであって、前記天板の前側部が側方に張り出して前記背凭れの前方に位置する形状をなすことを特徴とする請求項１、２又は３記載の椅子。
【請求項５】
前記座及び前記天板を、前記座取付部に対して着脱可能に構成していることを特徴とする請求項１、２、３又は４記載の椅子。
【発明の詳細な説明】
【技術分野】
【０００１】
本発明は、主として空港のロビーや駅の待合室等の公共空間に用いられ、複数の座を幅方向に並列して設けることが可能な椅子に関する。
【背景技術】
【０００２】
従来、空港のロビーや駅の待合室等の公共空間に用いられ、複数の座を幅方向に並列して設けている椅子において、座を設置可能な位置に座に替えて天板を配置しているものが知られている（例えば非特許文献１を参照）。
【非特許文献１】コクヨ総合カタログオフィスファニチャー編２００３、コクヨ株式会社、ｐ．６１０
【発明の開示】
【発明が解決しようとする課題】
【０００３】
しかして、非特許文献１記載の天板は、座と座の間の空間に載置されている。このような構成では、天板の幅寸法を座と座との間の空間の幅寸法以上に設定することが不可能である。また、前記天板の高さ位置は、座面と同一ないしやや下方に設定されていて、この天板の側方に着座した着座者が荷物を載置する用途には好適であるが、より幅広い用途、例えば天板の側方に着座した着座者がこの天板を利用して筆記等の作業を行う用途に対応する要望に対応することは極めて困難である。
【０００４】
本発明は、上記問題を解決し、より広くより幅広い用途に対応可能な天板を有する椅子を提供する。
【課題を解決するための手段】
【０００５】
すなわち、本発明に係る椅子は、座と、前記座を支持する横架材と、前記横架材を支持し床面に接する脚とを具備し、前記横架材が座を取り付けるための座取付部を有するものであって、前記座取付部に取り付け可能な天板をさらに具備し、前記天板の天板面が前記座の座面よりも上方に位置することを特徴とする。
【０００６】
このようなものであれば、天板面を前記座の座面よりも上方に位置させているので、天板の側縁部を隣接する座の側端部を越えて座の前上方に位置させることにより、前記座に着座する着座者がこの天板を天板上において筆記等の作業を行うテーブルとして用いることができ、天板をより使いやすく、また幅広い用途に用いることができる。また、天板の全体を前記座の座面よりも上方に位置させているので、天板の側方が座と干渉することがなく、従って、天板の側縁部が隣接する座の側端部を越える形状として、より広い天板を設けるようにすることができる。
【０００７】
より広い天板を実現するとともに、このような天板を使いやすくするための態様として、前記天板の天板面の一部を、前記座の座面の少なくとも一部に平面視重合させているものが挙げられる。このように構成すれば、天板の側端部を前記座に着座する着座者に近づけることができる。なお、本発明において、「平面視重合させる」とは、真上から見下ろした状態で重合して見える位置に配置することを示す。
【０００８】
さらに、前記天板を会談用のテーブルとして用いることができるようにするための構成として、前記座取付部を３箇所以上有するものであって、前記天板を取り付けた座取付部に隣接する座取付部の双方に座を取り付けているものが挙げられる。このようなものであれば、前記天板を取り付けた座取付部の両側に隣接する座取付部に取り付けられた座に着座した２名が、前記天板を共有して会談用のテーブルとして用いることができる。もちろん、前記２名以外にこの天板の前方に起立ないし着座した者も会談に参加できる。
【０００９】
また、このような椅子が背凭れを有する場合にこのような椅子をさらに使いやすくするための態様として、前記座の後端部から起立する背凭れをさらに具備するものであって、前記天板の前側部が側方に張り出して前記背凭れの前方に位置する形状をなすものが挙げられる。このようなものであれば、側方に張り出した天板の前側部が前記背凭れを利用する着座者の前方に位置するとともに、この天板の前側部と前記背凭れとの間に前記着座者の体を位置させることができる。
【００１０】
そして、座及び天板の配置の自由度を高めることができる態様として、前記座及び前記天板を、前記座取付部に対して着脱可能に構成しているものが挙げられる。このようなものであれば、新たに天板が必要となる箇所において座を取り外し天板を取り付けることや、逆に天板が不要になった箇所において、天板を取り外し、座を取り付けることができる。
【発明の効果】
【００１１】
天板の全体を前記座の座面よりも上方に位置させているので、天板の側縁部を隣接する座の側端部を越えて座の前上方に位置させることにより、前記座に着座する着座者がこの天板を天板上において筆記等の作業を行うテーブルとして用いることができる。また、天板の全体を前記座の座面よりも上方に位置させているので、天板の側方が座と干渉することがなく、従って、天板の側縁部が隣接する座の側端部を越える形状として、より広い天板を設けることもできる。
【発明を実施するための最良の形態】
【００１２】
本発明の好ましい実施形態を、図面を参照して以下に説明する。
【００１３】
この実施形態に係る椅子Ｃは、主として空港のロビーや駅の待合室等の公共空間に好適に用いられるものであり、図１に正面図、図２に側面図、図３に平面図、図４に背面図、図５に底面図、図６に側方からの透視図、図７に正面上方からの斜視図をそれぞれ示すように、座１と、前記座１の後端部から起立して一体に設けられる背凭れ２と、前記座１を支持する横架材３と、床面に接地して前記横架材３を支持する脚４と、前記横架材３に取り付けられる天板ユニット５とを具備する。
【００１４】
座１は、本実施形態では、座板１１と、座板の上方に取り付けられ座面１ａを有する座クッション１２とを具備する。前記座板１１は、板状をなし、その底面には後述する横架材３の座取付部３２にねじを介して取り付けるための図示しない雌ねじ穴を設けている。
【００１５】
背凭れ２は、本実施形態では背凭れ板２１と、上背凭れクッション２２と、下背凭れクッション２３とを具備する。前記背凭れ板２１は、本実施形態では座板１１の後端から起立して一体に設けられている。
【００１６】
横架材３は、本実施形態では、幅方向に延伸する板状をなす横架材本体３１と、この横架材本体３１に取り付けられ、座１を取り付け可能な座取付部３２とを具備する。前記座取付部３２は、本実施形態では、座１の左右両端部をそれぞれ支持すべく左右１対に設けられる座支持要素３２１を有する。前記座支持要素３２１は、前後方向に延伸する板状をなし、上面に座板１１を載置してなる座支持要素本体３２１ａと、この座取付部本体３２１ａを横架材本体３１に接続する接続部３２１ｂとを有する。さらに、前記座支持要素本体３２１ａには座１をこの横架材に取り付けるための雄ねじを挿通可能な図示しないねじ挿通孔を設けている。そして、このねじ挿通孔と前記座板１１に設けた雌ねじとを重合させた状態で雄ねじを前記雌ねじに螺着することにより、座１をこの横架材３に着脱可能に取り付けている。なお、本実施形態では、前記座取付部３２は、横架材３の幅方向に互いに隣接させ、所定のピッチで互いに離間させて３箇所に設けている。
【００１７】
脚４は、本実施形態では横架材３の幅方向両端部に取り付けられる逆Ｖ字状の部材である。具体的には、前記逆Ｖ字の頂点近傍に、前記横架材３を取り付ける横架材取付部４１を有し、この横架材取付部４１から前下方及び後下方にそれぞれ脚支柱４２を延伸して設けている。そして、前記脚支柱４２の下端部にアジャスタ４３を設けている。
【００１８】
天板ユニット５は、板状をなし天板面５１ａを有する天板５１と、この天板５１と前記座取付部３２を接続して前記座取付部３２に取り付けられる天板取付要素たる天板取付具５２とを有する。
【００１９】
しかして本実施形態では、前記天板面５１ａは、座面１ａよりも上方に位置する。
【００２０】
具体的には、前記天板取付具５２は、後支持部５２１と、前支持部５２２と、被取付部５２３と、後接続部５２４と、前接続部５２５とを具備する。前記後支持部５２１は、幅方向に延伸する形状をなし天板本体５１の下面の後端部に当接する。前記前支持部５２２は、同じく幅方向に延伸する形状をなし天板本体５１の下面の奥行き方向中央部近傍に当接する。前記被取付部５２３は、左右１対に設けられ、前後に伸びる板状をなし、前記横架材３の座支持要素本体３２１ａに当接する。前記後接続部５２４は、前記被取付部５２３の後端部から起立して設けられ上端部が前記後支持部５２１に接続する。前記前接続部５２５は、前記被取付部５２３の前端部から起立して設けられ上端部が前記前支持部５２１に接続する。また、前記被取付部５２３には、前記座板１１に設けられているものと同様の図示しない雌ねじ孔を設けていて、座１を取り付ける場合と同様の手順により、この天板取付具５２を含む天板ユニット５を座１に替えて取り付けるようにしている。本実施形態では、３箇所に設けられた座取付部３２のうち幅方向中央に位置する座取付部３２にこの天板取付具５２を取り付けている。
【００２１】
一方、天板５１は、本実施形態では上述したように前記天板取付具５２の後支持部５２１に下面の後端部を、また同じく前記天板取付具５２の前支持部５２２に下面の奥行き方向中央部近傍をそれぞれ支持させている。また、この天板５１は、後端の奥行き方向位置が座１の後端部近傍、前端の奥行き方向位置が座１の前端部の前方、一側端の幅方向位置が隣接する座１間の中間近傍、他側端の幅方向位置が座１の幅方向中央近傍に位置する矩形状の板の座１に近い側の後部を略円弧状に切り欠いた形状をなし、左右１対に設けられている。すなわち、この天板５１は、前記図３及び図４に示すように、天板面５１ａの一部が平面視座面１ａに重合しているとともに、前側部が側方に張り出して前記背凭れ２の前方に位置している。そして、この天板５１を含む天板ユニット５もまた、横架材３に着脱可能に取り付けられている。さらに本実施形態では、この天板ユニット５の前方に起立ないし着座した者にもこの天板ユニット５を利用しやすくすべく、前記天板５１の前部かつ座１から遠い側の隅部をも切り欠いた形状にしている。
【００２２】
以上に述べたように、本実施形態に係る椅子Ｃは、天板面５１ａを座面１ａよりも上方に位置させているとともに、天板５１の側縁部を隣接する座１の側端部を越えて座１の前上方に位置させているので、前記座１に着座する着座者がこの天板５１を筆記等の作業を行うテーブルとして用いることができる等、天板５１がより使いやすく、幅広い用途に用いることができる。また、天板面５１ａを座面１ａよりも上方に位置させ、天板５１の側方が座１と干渉することをなくしているので、天板５１の側縁部を隣接する座１の側端部を越える形状にし、天板面５１ａを従来のものと比較して広くとることができる。
【００２３】
特に、前記天板５１の天板面５１ａの一部を、前記座１の座面１ａの少なくとも一部に平面視重合させているので、天板５１の側端部が前記座１に着座する着座者に接近し、着座者にとって使いやすくすることができる。
【００２４】
さらに、前記座取付部３２を３箇所有するとともに、前記天板５１を含む天板ユニット５を取り付けた座取付部３２、すなわち幅方向中央に位置する座取付部３２に隣接する座取付部３２の双方、すなわち残り２箇所の座取付部３２に座１を取り付けているので、これら２箇所の座取付部３２に取り付けられた座１に着座した２名が、前記天板５１を共有して会談用のテーブルとして用いることができる。もちろん、前記２名以外にこの天板ユニット５の前方に起立ないし着座した者も会談に参加できる。
【００２５】
さらに、前記座１の後端部から起立する背凭れ２をさらに具備するとともに、前記天板５１の前側部が側方に張り出して前記背凭れ２の前方に位置する形状をなすので、側方に張り出した天板５１の前側部が前記背凭れ２を利用する着座者の前方に位置するとともに、この天板５１の前側部と前記背凭れ２との間に前記着座者の体を位置させることができ、椅子Ｃに背凭れ２を設けつつこのような椅子Ｃをさらに使いやすくすることができる。
【００２６】
そして、前記天板５１を含む天板ユニット５及び前記座１が、前記座取付部３２に対して着脱可能であるので、新たに天板５１が必要となる箇所において座１を取り外し天板ユニット５を取り付けることや、逆に天板５１が不要になった箇所において天板ユニット５を取り外し座１を取り付けることができ、従って、座１及び天板５１の配置の自由度を高めることができる。
【００２７】
なお、本発明は以上に述べた実施形態に限られない。
【００２８】
例えば、座取付部は３箇所でなく、２箇所又は４箇所に設けてもよく、さらに５箇所以上に設けてもよいし、１箇所にのみ設けるようにしてもよい。
【００２９】
また、天板を幅方向一端部ないし両端部に設ける態様を採用してもよい。
【００３０】
さらに、平面図を図８に示すように、天板面５１ａを座面１ａには重合させず、天板５１の前部を側方に張り出して座１の前上方に位置させるようにしてもよい。このような態様であっても、天板５１の前側部が座１を利用する着座者の前方に位置するので、前記着座者と天板５１とが上述した実施形態と比較してより離間しているが、前記着座者が天板５１を筆記用のテーブルとして用いることはできる。
【００３１】
加えて、背凭れは必ずしも設けなくてよい。
【００３２】
そして、座及び天板は、着脱可能にする必要はなく、座及び天板の配置を変更する必要性が薄い場合には溶接等の手段により横架材に固定するようにしてもよい。このようなものであれば、座及び天板を横架材に確実に支持させることができる。
【００３３】
その他、本発明の趣旨を損ねない範囲で種々に変形してよい。
【図面の簡単な説明】
【００３４】
【図１】本発明の一実施形態に係る椅子を示す正面図。
【図２】同実施形態に係る椅子を示す側面図。
【図３】同実施形態に係る椅子を示す平面図。
【図４】同実施形態に係る椅子を示す背面図。
【図５】同実施形態に係る椅子を示す底面図。
【図６】同実施形態に係る椅子を示す側方からの透視図。
【図７】同実施形態に係る椅子を示す正面上方からの斜視図。
【図８】本発明の他の実施形態に係る椅子を示す平面図。
【符号の説明】
【００３５】
Ｃ…椅子
１…座
１ａ…座面
２…背凭れ
３…横架材
３２…座取付部
４…脚
５１…天板
５１ａ…天板面
【図１】
2005224541.tif 000003
【図２】
2005224541.tif 000004
【図３】
2005224541.tif 000005
【図４】
2005224541.tif 000006
【図５】
2005224541.tif 000007
【図６】
2005224541.tif 000008
【図７】
2005224541.tif 000009
【図８】
2005224541.tif 000010